(57)【特許請求の範囲】
【請求項１】
火災感知器の火災発報を検出して火災警報を出力する受信機と、
前記受信機から光警報を制御する制御信号を受信した場合に、所定の制御開始時間情報を含む制御電文を送信する光警報制御装置と、
前記制御電文を受信した場合に、前記制御開始時間情報に基づいて所定の発光周期を経過する毎の発光予定時間情報を設定し、自己で生成している現在時間情報が前記発光予定時間情報に一致する毎に、発光部を発光する発光制御を行う光警報装置と、
を設けた警報システムに於いて、
前記光警報制御装置は、所定の周期毎に、現在時間情報を含む基準電文を所定の基準時間間隔を空けて２回送信し、
前記光警報装置は、前記基準電文の受信により得られた現在時間情報を自己の現在時間情報に設定すると共に、最初の前記基準電文を受信してから次の基準電文を受信するまでの時間間隔を検出して前記基準時間間隔との差を補正値として求め、自己で生成する前記現在時間情報を前記補正値により補正して前記発光制御を行うことを特徴とする警報システム。
【請求項２】
請求項１記載の警報システムに於いて、
前記光警報制御装置及び前記光警報装置は、所定周波数のクロックの計数を所定の時間単位に繰り返して現在時間情報を示す時間カウント値（Ｎｔ）を生成しており、
前記光警報装置は、最初の基準電文を受信してから次の基準電文を受信するまでの時間間隔をクロックの計数による時間間隔カウント値（Ｎ）として検出して基準時間間隔に対応した基準時間間隔カウント値（Ｎｒ）との差（ΔＮ）を補正値として求め、自己の時間カウント値（Ｎｔ）を
Ｎｔ’＝Ｎｔ（１＋ΔＮ／Ｎｒ）
として補正することを特徴とする警報システム。
【請求項３】
請求項１記載の警報システムに於いて、
前記光警報装置は、最初の基準電文を受信した場合に、前記基準電文に含まれた基準時間カウント値（Ｎｒ１）と自己の時間カウント値（Ｎｔ１）を記憶すると共に、次の基準電文を受信した場合に、前記基準電文に含まれた基準時間カウント値（Ｎｒ２）と自己の受信時間カウント値（Ｎｔ２）を記憶し、
最初の基準電文を受信してから次の基準電文を受信した場合の基準時間カウント値の時間間隔（Ｎｒ２−Ｎｒ１）を自己の時間カウント値の時間間隔（Ｎｔ１−Ｎｔ２）で割って補正係数（α）を求め、
自己の時間カウント値（Ｎｔ）を
Ｎｔ’＝Ｎｒ１＋α（Ｎｔ−Ｎｔ１）
又は、
Ｎｔ’＝Ｎｒ２＋α（Ｎｔ−Ｎｔ２）
として補正することを特徴とする警報システム。
【請求項４】
請求項２又は３記載の警報システムに於いて、前記光警報装置は、前記発光周期を前記クロックの計数による発光周期カウント値（Ｎｆ）とし、前記制御開始時間情報を開始時間カウント値（Ｎａ）とした場合、所定の発光周期を経過する毎の発光予定時間情報を示す発光予定時間カウント値（Ｎｉ）として
Ｎｉ＝（Ｎａ＋ｉ・Ｎｆ）
但し、ｉ＝１，２，３，・・・・となる発光回数を示す整数
を設定し、前記補正した時間カウント値（Ｎｔ）が前記発光予定時間カウント値（ｎｉ）に一致する毎に発光部を発光する発光制御を行うことを特徴とする警報システム。
【請求項５】
請求項１記載の警報システムに於いて、前記光警報制御装置は、前記受信機から火災発報に基づく制御信号又は前記受信機の点検操作に基づく制御信号を受信した場合に、前記制御開始時間情報を含む制御電文を送信することを特徴とする警報システム。
【請求項６】
請求項１記載の警報システムに於いて、
前記光警報制御装置は、前記基準電文を、前記基準時間間隔を空けて２回送信した後に、予め登録された全ての送信先からの確認応答電文が受信されなかった場合に前記基準電文の中継指示電文を送信し、
前記光警報装置は、前記中継指示電文を受信した場合に、自己の補正した現在時間情報を含む基準電文を前記基準時間間隔を空けて２回送信し、中継先の光警報装置に時間情報の設定と補正を行わせることを特徴とする警報システム。
【請求項７】
請求項１記載の警報システムに於いて、
前記光警報制御装置は、前記発光制御を指示する制御電文を送信した後に、予め登録された全ての送信先からの確認応答電文が受信されなかった場合に中継指示電文を送信し、
前記光警報装置は、前記発光制御中に前記中継指示電文を受信した場合に、所定の制御開始時間情報を含む中継制御電文を生成して中継送信することを特徴とする警報システム。
【請求項８】
請求項１記載の警報システムに於いて、
前記光警報制御装置は、所定の送信時間（Ｔ１）と送信休止時間（Ｔ２）からなる送信周期（Ｔ０）を複数回設定して前記各送信時間の間に電文の送信を複数回繰り返し、
前記光警報装置は、間欠受信により最初に受信した電文に含まれる情報に基づき所定の制御を行うことを特徴とする警報システム。
【発明の詳細な説明】
【技術分野】
【０００１】
本発明は、受信機により火災感知器の火災発報を受信した場合に、受信機側から警戒区域の光警報装置に制御電文を無線送信して点滅する光により火災の発生を報知する警報システムに関する。
【背景技術】
【０００２】
従来、オフィスビル、店舗ビル、病院、ホテル等の建物には、火災を監視し、火災が発生した場合に、建物内の人々に異常の発生を報知するための警報システムとして、自動火災報知システムが設置されている。このような自動火災報知システムにおいては、火災発生の報知はブザー、ベル、メッセージ等の音響により行なわれるのが一般的である。また、この音響による報知と共に、ＬＥＤや赤色ランプ等を用いた表示報知も適宜行われる。
【０００３】
ところで、近年、火災発生を音響とともに視認性の高い高光度の白色光（フラッシュ光）を点滅することにより火災の発生を報知する警報システムも提案されている（例えば、特許文献１乃至３参照）。このような警報システムによれば、音響だけでなく強い光の点滅により火災発生を報知するため、例えば聴覚不自由者にも、災害の発生を早期に、且つ確実に認識させることができる。
【０００４】
また、配線による手間とコストを低減するため、無線式の警報システムも提案されている（例えば特許文献４参照）。無線式の警報システムは、火災受信機により火災感知器の火災発報を受信した場合に、中継器に電路を介して火災信号を出力して中継器から警報指令信号（制御電文）を光警報装置に送信する。光警報装置はタイマを備えており、警報指令信号を受信した場合にタイマをリセットしてクロックカウントを開始し、所定の遅延時間Δｔとなるカウント値に達したら発光部を発光駆動し、所定の周期Ｔでタイマをリセットスタートしながら発光を繰り返す。また、電波の届かない場所に設置した光警報装置に対しては、途中に電波中継器を設け、警報指令信号を中継している。
【０００５】
電波中継器は、火災受信機に接続した中継器からの警報指令信号を受信すると、タイマのクロックカウントにより周期Ｔを経過した場合に警報指令信号を中継送信し、中継先の光警報装置は警報指令信号の受信でタイマをリセットスタートし、所定遅延時間Δｔとなるカウント値に達した時点で発光部を発光駆動し、以後、周期Ｔでタイマをリセットスタートしながら発光を繰り返す。この結果、中継の有無に応じて最初の発光には時間ずれがあるが、全ての光警報装置が発光を開始すると周期Ｔによる同期発光が行われ、バラバラのタイミングで発光することによる光過敏性発作の問題を解消可能とする。
【０００６】
また、火災受信機に接続した中継器は、火災信号が得られている間、発光周期の整数倍となる所定周期で警報指令信号を送信し、これにより電波中継器及び光警報装置のタイマをリセットすることで、クロックカウントによるタイマの誤差を抑制するようにしている。
【先行技術文献】
【特許文献】
【０００７】
【特許文献１】実用新案登録第３１１３９４６号公報
【特許文献２】特開２００５−１６５７４０号公報
【特許文献３】特開２０１１−１９８１９４号公報
【特許文献４】特開２０１４−１８６４３０号公報
【発明の概要】
【発明が解決しようとする課題】
【０００８】
しかしながら、このような光警報を行う従来の無線式の警報システムにあっては、中継器、電波中継器及び光警報装置に設けた内部タイマを、警報指令信号を定期的に送ってリセットすることで誤差を低減するようにしているが、内部タイマのリセットを繰り返しても、内部タイマのカウントに使用しているクロックに各装置に固有なバラツキがあり、内部タイマによる遅延時間の相違により同期発光が整合しなくなる問題がある。
【０００９】
この問題を解消するためには、警報指令信号の送信による内部タイマのリセット間隔を短くすることが考えられるが、これを行うと通信回数が増加し、電池電源で動作している電波中継器や光警報装置の消費電力が増加し、火災発報に基づく光警報の同期発光中に電池切れを起こす恐れもある。
【００１０】
本発明は、発光制御中に通信によるタイマリセット等を必要とすることなく、クロックのカウントに基づき発光制御する場合の発光周期のばらつきを抑制して確実に発光同期を可能とする警報システムを提供することを目的とする。
【課題を解決するための手段】
【００１１】
（警報システム）
本発明は、
火災感知器の火災発報を検出して火災警報を出力する受信機と、
受信機から光警報を制御する制御信号を受信した場合に、所定の制御開始時間情報を含む制御電文を送信する光警報制御装置と、
制御電文を受信した場合に、制御開始時間情報に基づいて所定の発光周期を経過する毎の発光予定時間情報を設定し、自己で生成している現在時間情報が発光予定時間情報に一致する毎に、発光部を発光する発光制御を行う光警報装置と、
を設けた警報システムに於いて、
光警報制御装置は、所定の周期毎に、現在時間情報を含む基準電文を所定の基準時間間隔を空けて２回送信し、
光警報装置は、基準電文の受信により得られた現在時間情報を自己の現在時間情報に設定すると共に、最初の基準電文を受信してから次の基準電文を受信するまでの時間間隔を検出して基準時間間隔との差を補正値として求め、自己で生成する現在時間情報を補正値により補正して発光制御を行うことを特徴とする。
【００１２】
（クロックカウントによる時間カウンタ値の補正１）
光警報制御装置及び光警報装置は、所定周波数のクロックの計数を所定の時間単位に繰り返して現在時間情報を示す時間カウント値（Ｎｔ）を生成しており、
光警報装置は、最初の基準電文を受信してから次の基準電文を受信するまでの時間間隔をクロックの計数による時間間隔カウント値（Ｎ）として検出して基準時間間隔に対応した基準時間間隔カウント値（Ｎｒ）との差（ΔＮ）を補正値として求め、自己の時間カウント値（Ｎｔ）を
Ｎｔ’＝Ｎｔ（１＋ΔＮ／Ｎｒ）
として補正する。
【００１３】
（クロックカウントによる時間カウンタ値の補正２）
光警報装置は、最初の基準電文を受信した場合に、当該基準電文に含まれた基準時間カウント値（Ｎｒ１）と自己の時間カウント値（Ｎｔ１）を記憶すると共に、次の基準電文を受信した場合に、当該基準電文に含まれた基準時間カウント値（Ｎｒ２）と自己の受信時間カウント値（Ｎｔ２）を記憶し、
最初の基準電文を受信してから次の基準電文を受信した場合の基準時間カウント値の時間間隔（Ｎｒ２−Ｎｒ１）を自己の時間カウント値の時間間隔（Ｎｔ１−Ｎｔ２）で割って補正係数（α）を求め、
自己の時間カウント値（Ｎｔ）を
Ｎｔ’＝Ｎｒ１＋α（Ｎｔ−Ｎｔ１）
又は、
Ｎｔ’＝Ｎｒ２＋α（Ｎｔ−Ｎｔ２）
として補正する。
【００１４】
（クロックカウントによる発光制御）
光警報装置は、発光周期をクロックの計数による発光周期カウント値（Ｎｆ）とし、制御開始時間情報を開始時間カウント値（Ｎａ）とした場合、所定の発光周期を経過する毎の発光予定時間情報を示す発光予定時間カウント値（Ｎｉ）として
Ｎｉ＝（Ｎａ＋ｉ・Ｎｆ）
但し、ｉ＝１，２，３，・・・・となる発光回数を示す整数
を設定し、補正した時間カウント値（Ｎｔ）が発光予定時間カウント値（Ｎｉ）に一致する毎に発光部を発光する発光制御を行う。
【００１５】
（火災発報と点検時の制御電文送信）
光警報制御装置は、受信機から火災発報に基づく制御信号又は受信機の点検操作に基づく制御信号を受信した場合に、制御開始時間情報を含む制御電文を送信する。
【００１６】
（基準電文の中継制御）
光警報制御装置は、基準電文を、基準時間間隔を空けて２回送信した後に、予め登録された全ての送信先からの確認応答電文が受信されなかった場合に基準電文の中継を指示する中継指示電文を送信し、
光警報装置は、中継指示電文を受信した場合に、自己の補正した現在時間情報を含む基準電文を基準時間間隔を空けて２回送信し、中継先の光警報装置に時間情報の設定と補正を行わせる。
【００１７】
（制御電文の中継制御）
光警報制御装置は、発光制御を指示する制御電文を送信した後に、予め登録された全ての送信先からの確認応答電文が受信されなかった場合に中継指示電文を送信し、
光警報装置は、発光制御中に中継指示電文を受信した場合に、所定の制御開始時間情報を含む中継制御電文を生成して中継送信する。
【００１８】
（連続送信と間欠受信）
光警報制御装置は、所定の送信時間（Ｔ１）と送信休止時間（ｔ２）からなる送信周期（Ｔ０）を複数回設定して各送信時間の間に電文の送信を複数回繰り返し、
光警報装置は、間欠受信により最初に受信した電文に含まれる情報に基づき所定の制御を行う。
【発明の効果】
【００１９】
（警報システムの基本的な効果）
本発明は、火災感知器の火災発報を検出して火災警報を出力する受信機と、受信機から光警報を制御する制御信号を受信した場合に、所定の制御開始時間情報を含む制御電文を送信する光警報制御装置と、制御電文を受信した場合に、制御開始時間情報に基づいて所定の発光周期を経過する毎の発光予定時間情報を設定し、自己で生成している現在時間情報が発光予定時間情報に一致する毎に、発光部を発光する発光制御を行う光警報装置とを設けた警報システムに於いて、光警報制御装置は、所定の周期毎に、現在時間情報を含む基準電文を所定の基準時間間隔を空けて２回送信し、光警報装置は、基準電文の受信により得られた現在時間情報を自己の現在時間情報に設定すると共に、最初の時間基準電文を受信してから次の時間基準電文を受信するまでの時間間隔を検出して基準時間間隔との差を補正値として求め、自己で生成する現在時間情報を補正値により補正して発光制御を行うようにしたため、通常監視状態でマスタとして機能する中継制御装置の現在時間が全ての光警報装置に設定されて時間同期をとることができ、また、複数の光警報装置はクロックカウントにより内部的に時間情報を生成することで、時間同期からの時間が経過すると誤差を生ずるようになるが、２回の基準電文の受信から内部誤差を補正する補正値を求め、自己で生成している現在時間を補正するため、内部誤差を解消して略完全な時間同期を維持可能とする。
【００２０】
このように複数の光警報装置が略完全に時間同期をとっているため、火災発報による制御電文に基づき発報時間に対応した制御開始時間を基準に所定周期で発光制御する場合、発光周期にずれが起きず、発光制御中の電文通信でのリセット等を必要とすることなく、正確な同期発光を可能とする。
【００２１】
（クロックカウントによる現在時間の補正１の効果）
光警報制御装置及び光警報装置は、所定周波数のクロックの計数を所定の時間単位に繰り返して現在時間情報を示す時間カウント値（Ｎｔ）を生成しており、
光警報装置は、最初の基準電文を受信してから次の基準電文を受信するまでの時間間隔をクロックの計数による時間間隔カウント値（Ｎ）として検出して基準時間間隔に対応した基準時間間隔カウント値（Ｎｒ）との差（ΔＮ）を補正値として求め、自己の時間カウント値（Ｎｔ）を
Ｎｔ’＝Ｎｔ（１＋ΔＮ／Ｎｒ）
として補正するようにしたため、光警報装置に固有のクロック誤差が存在しても、この誤さを解消して正確な現在時間を複数の光警報装置の各々で生成し、略完全に時間同期をとることを可能とする。
【００２２】
（クロックカウントによる現在時間の補正２の効果）
また、光警報装置は、最初の基準電文を受信した場合に、当該基準電文に含まれた基準時間カウント値（Ｎｒ１）と自己の時間カウント値（Ｎｔ１）を記憶すると共に、次の基準電文を受信した場合に、当該基準電文に含まれた基準時間カウント値（Ｎｒ２）と自己の受信時間カウント値（Ｎｔ２）を記憶し、最初の基準電文を受信してから次の基準電文を受信した場合の基準時間カウント値の時間間隔（Ｎｒ２−Ｎｒ１）を自己の時間カウント値の時間間隔（Ｎｔ１−Ｎｔ２）で割って
補正係数（α）を求め、
自己の時間カウント値（Ｎｔ）を
Ｎｔ’＝Ｎｒ１＋α（Ｎｔ−Ｎｔ１）
又は、
Ｎｔ’＝Ｎｒ２＋α（Ｎｔ−Ｎｔ２）
として補正するようにしたため、光警報装置に固有のクロック誤差が存在しても、この誤さを解消して正確な現在時間を複数の光警報装置の各々で生成し、略完全に時間同期をとることを可能とする。
【００２３】
（クロックカウントによる発光制御の効果）
また、光警報装置は、発光周期をクロックの計数による発光周期カウント値（Ｎｆ）とし、制御開始時間情報を開始時間カウント値（Ｎａ）とした場合、所定の発光周期を経過する毎の発光予定時間情報を示す発光予定時間カウント値（Ｎｉ）として
Ｎｉ＝（Ｎａ＋ｉ・Ｎｆ）
但し、ｉ＝１，２，３，・・・・となる発光回数を示す整数
を設定し、補正した時間カウント値（Ｎｔ）が発光予定時間カウント値（Ｎｉ）に一致する毎に発光部を発光する発光制御を行うようにしたため、複数の光警報装置の間で略完全に時間同期がとられた現在時間が、火災発報に対応した制御開始時間と発光周期からスケジュールした発報予定時間に達する毎に発光制御を行うことで、光警報装置に固有のクロック誤差が存在しても、この誤差を解消して正確な発光周期による同期発光を可能とする。
【００２４】
（火災発報と点検時の制御電文送信による効果）
また、光警報制御装置は、受信機から火災発報に基づく制御信号又は受信機の点検操作に基づく制御信号を受信した場合に、制御開始時間情報を含む制御電文を送信するようにしたため、火災発報を検出した場合のみならず、受信機の操作部で点検のための操作を行った場合にも、発光制御を行って光警報の同期発光を確認可能とする。
【００２５】
（基準電文の中継制御による効果）
また、光警報制御装置は、基準電文を、基準時間間隔を空けて２回送信した後に、予め登録された全ての送信先からの確認応答電文が受信されなかった場合に基準電文の中継を指示する中継指示電文を送信し、光警報装置は、中継指示電文を受信した場合に、自己の補正した現在時間情報を含む基準電文を基準時間間隔を空けて２回送信し、中継先の光警報装置に時間情報の設定と補正を行わせるようにしたため、光警報制御装置からの基準電文が直接届かない離れた位置にある光警報装置についても、基準電文の中継送信により、現在時間情報の設定と補正による時間同期を確実に行うことを可能とする。
【００２６】
（制御電文の中継制御による効果）
また、光警報制御装置は、発光制御を指示する制御電文を送信した後に、予め登録された全ての送信先からの確認応答電文が受信されなかった場合に中継指示電文を送信し、光警報装置は、発光制御中に中継指示電文を受信した場合に、所定の制御開始時間情報を含む中継制御電文を生成して中継送信するようにしたため、光警報制御装置からの電文が直接届かない離れた位置にある光警報装置についても、電文の中継送信により、発光同期を確実に行うことを可能とする。
【００２７】
（連続送信と間欠受信による効果）
光警報制御装置は、所定の送信時間（Ｔ１）と送信休止時間（Ｔ２）からなる送信周期（Ｔ０）を複数回設定して各送信時間の間に電文の送信を複数回繰り返し、光警報装置は、間欠受信により最初に受信した電文に含まれる情報に基づき所定の制御を行うようにしたため、光警報装置が間欠受信を行っていても、光警報制御装置から電文を複数回連続して送信することで、電文を確実に受信して時間同期及び発光同期を確実に行うことを可能とする。
【図面の簡単な説明】
【００２８】
【図１】制御電文の無線通信により光警報制御を行う警戒システムの実施形態を示したブロック図
【図２】光警報制御装置の機能構成を示したブロック図
【図３】制御電文の形式を示した回路図
【図４】光警報装置の機能構成を示したブロック図
【図５】基準電文の受信による光警報装置での時間補正制御を示したタイムチャート
【図６】制御電文の送信による発光制御を示したタイムチャート
【図７】図６に続いて制御電文を中継送信した場合の発光制御を示したタイムチャート
【図８】基準電文の送信を示したタイムチャート
【図９】図８に続く基準電文の中継送信を示したタイムチャート
【図１０】光警報制御装置の制御を示したフローチャート
【図１１】光警報装置における時間補正制御を示したフローチャート
【図１２】光警報装置における発光制御を示したフローチャート
【図１３】基準電文の受信による光警報装置での時間補正制御の他の実施形態を示したタイムチャート
【図１４】図１３の時間補正制御を示したフローチャート
【発明を実施するための形態】
【００２９】
［警報システム］
（警報システムの構成）
図１は電文の無線通信により光警報制御を行う警戒システムの実施形態を示したブロック図である。
【００３０】
図１に示すように、本実施形態の警報システムは、Ｐ型の自動火災報知システムを例にとっており、火災受信機１０からは警戒区域に向けて電源兼用信号線となる感知器回線１２を複数回線引き出して複数の火災感知器１４を接続しており、回線終端には終端装置（終端抵抗）１６を接続している。
【００３１】
火災受信機１０は、受信制御部２０を備え、受信制御部２０に対し回線受信部２２、表示部２４、操作部２５、警報部２６及び移報部２８を設けている。
【００３２】
受信制御部２０は、例えばプログラムの実行により実現される機能であり、ハードウェアとしてはＣＰＵ、メモリ、各種の入出力ポート等を備えたコンピュータ回路等を使用する。
【００３３】
回線受信部２２は火災受信機１０に内蔵した電源から所定の直流電圧、例えばＤＣ２４ボルトを火災感知器１４に電源電圧として供給している。また、回線受信部２２は火災感知器１４の火災検出により感知器回線１２に流れる発報電流を検出して回線電流検出信号を受信制御部２０に出力し、受信制御部２０は回線受信部２２からの回線電流検出信号が所定の火災発報レベル以上となることを検出して火災発報を判定する。
【００３４】
また、感知器回線１２には通常監視状態（非発報状態）において終端装置１６で決まる所定の回線監視電流が流れており、感知器回線１２が断線すると回線監視電流が流れなくなり、受信制御部２０は回線受信部２２からの回線電流検出信号が所定値以下に低下したことを検知して断線障害を判定する。
【００３５】
表示部２４には、火災代表灯、地区表示灯、その他火災監視に必要な各種の表示灯や液晶ディスプレイ等を設けている。操作部２５には、主音響停止スイッチ、地区音響停止スイッチ、移報停止スイッチ、点検スイッチ等の火災監視に必要な各種のスイッチを設けている。警報部２６はブザーやスピーカを備え、音響警報やメッセージ警報を出力する。移報部２８は他の機器に火災移報信号を出力する。
【００３６】
（光警報制御機能）
このような自動火災報知システムの構成及び機能は、従来システムと同じであるが、これに加えて本実施形態にあっては、火災受信機１０の外部に光警報制御装置３０を配置して移報部２８から移報信号線を接続し、また、警戒区域に無線式の光警報装置３２を配置している。なお、火災受信機１０の内部に光警報制御装置３０の機能を設けるようにしても良い。
【００３７】
光警報制御装置３０は、火災受信機１０の移報部２８から火災発報の検出または点検操作の検出に基づき光警報を制御する制御信号（移報制御信号）を受信すると、光警報制御を指示するための制御電文を生成して光警報装置３２に無線送信し、光警報制御を行わせる。
【００３８】
光警報制御装置３０は送信する制御電文に火災発報又は点検操作時に対応した制御開始時間情報を含めており、制御電文を受信した光警報装置３２は、受信した制御電文から得られた制御開始時間情報に基づいて所定の発光周期を経過する毎の発光予定時間情報を設定し、自己で生成している現在時間情報が発光予定時間情報に一致する毎に発光部を発光する発光制御を行う。
【００３９】
以下の説明では、時間情報を時間とし、また時間情報に対応したクロックカウントのカウント値を時間カウント値としており、更に時間情報としてカウント値を使用する場合がある。
【００４０】
また、光警報制御装置３０は、通常監視状態で、所定の時間校正周期毎に、現在時間情報を含む基準電文を所定の基準時間間隔、例えば１０秒を空けて２回送信し、これに対応して光警報装置３２は、基準電文の受信により得られた現在時間情報を自己の現在時間情報に設定して更新すると共に、最初の基準電文を受信してから次の基準電文を受信するまでの時間間隔を検出して基準時間間隔との差を補正値として求め、自己で生成する現在時間情報を補正値により補正する時間補正制御を行う。
【００４１】
また、光警報制御装置３０による基準電文及び制御電文の送信は、光警報装置３２の間欠受信に対応し、所定の送信時間Ｔ１と送信休止時間Ｔ２からなる送信周期Ｔ０を複数回繰り返し、各送信時間Ｔ１の間に電文を複数回連続して送信する。
【００４２】
光警報装置３２は、光警報制御装置３０から送信した制御電文を受信し、高輝度ＬＥＤやフラッシュライト等を用いた発光部の発光制御により設置場所に対応した所定の光度をもつ白色光又は赤色光を点滅し、点滅する光により火災の発生を報知する光警報を行う。
【００４３】
光警報装置３２による光警報の点滅周波数は０．５Ｈｚ以上、２Ｈｚ以下、即ち発光周期Ｔｆは０．５以上、２．０秒以下であり、発光パルス幅Ｔｗは０．２秒（２００ｍｓ）を超えないようにしている。
【００４４】
また、光警報装置３２は、所定の間欠受信周期毎にキャリアセンスを行う間欠受信を行っており、キャリアセンスにより光警報制御装置３０からの送信電波を検出すると継続受信に切り替わって光警報制御装置３０から送信した電文を受信し、受信した電文の内容に基づき時間補正制御や発光制御を行う。
【００４５】
また、光警報制御装置３０及び光警報装置３２には固有の識別情報となるＩＤが予め割り当てられている。
【００４６】
また、光警報制御装置３０は、基準電文又は制御電文を送信して登録したＩＤで指定される全ての送信先となる光警報装置３２から確認応答電文ＡＣＫを受信しなかった場合に、基準電文又は制御電文の中継送信を指示する中継指示電文を生成して送信する。これに対応して光警報装置３２は、光警報制御装置３０から中継指示電文を受信した場合、中継基準電文又は中継制御電文を生成して送信する。
【００４７】
（光警報制御装置の構成）
図２は図１に設けた光警報制御装置の機能構成を示したブロック図である。図２に示すように、光警報制御装置３０は、制御部３４、移報信号線を入力接続した移報入力部３６及びアンテナ４０を接続した通信部３８を備え、火災受信機１０からの電源又は専用電源で動作する。
【００４８】
光警報制御装置の制御部３４は、ハードウェアとしてＣＰＵ４２及びクロック発生部４４を備え、これ以外に図示しないメモリや各種の入出力ポート等を備えており、ＣＰＵ４２によるプログラムの実行により実現される機能である。
【００４９】
移報入力部３６は、図１に示した火災受信機１０の受信制御部２０から火災発報の検出に基づく光警報を制御する制御信号の入力を検出し、制御部３４に光警報制御信号を出力する。また、火災受信機１０の操作部２５による点検操作を受信制御部２０で検出した場合に出力される光警報を制御する制御信号の入力を検出し、同様に、光警報制御装置の制御部３４に光制御信号を出力する。
【００５０】
光警報制御装置の通信部３８は警戒区域に設置している光警報装置３２との間で電文の送受信を行う。通信部３８は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００５１】
光警報制御装置の制御部３４は、警報システムの運用開始に先立ち、自己のメモリに通信先とする全て光警報装置３２の識別情報ＩＤを予め登録している。
【００５２】
また、光警報制御装置の制御部３４は、移報入力部３６からの光警報制御信号の入力を検出した場合、光制御を行うための制御電文を生成し、光警報制御装置の通信部３８に指示して送信する制御を行う。
【００５３】
ここで、光警報制御装置から送信する電文は例えば図３に示す信号形式となる。図３に示すように、制御電文は、スタートコード、送信元ＩＤ、通信制御コード、制御内容、時間情報及びチェックサムで構成している。また、電文のサイズは１００ビット程度となる。
【００５４】
また、光警報制御装置の制御部３４は、光警報制御装置のクロック発生部４４から出力される所定周波数のクロックの計数を例えば２４時間単位に繰り返して現在時間を示す時間カウント値Ｎｔを生成している。例えば１秒クロックの計数を例にとると、２４時間単位の時間カウント値Ｎｔは、Ｎｔ＝０〜８６４００のカウント値を繰り返す。また時間カウント値は、必要に応じて時分秒に変換することができる。
【００５５】
なお、光警報制御装置の制御部３４で生成する現在時間情報は、標準時（日本標準時）ではなく、例えば２４時間時計機能による相対的な時間情報である。勿論、必要に応じて日本標準時に合せてもよい。また、この時計機能は２４時間に限定されず、１２時間時計や６時間時計であっても良い。この点は、後の説明で明らかにする光警報装置３２の時計機能についても同様である。
【００５６】
また、光警報制御装置の制御部３４は、移報入力部３６からの光警報制御信号を検出した場合、所定の送信時間Ｔ１と送信休止時間Ｔ２からなる送信周期Ｔ０を複数回、例えば３回設定し、各送信時間Ｔ１の間に制御電文の送信を複数回、例えば４個の制御電文Ｄ１〜Ｄ４，Ｄ５〜Ｄ８，Ｄ９〜Ｄ１２の送信を３回に分けて繰り返すと共に、発光制御の開始時間を示す制御開始時間に対応した制御開始時間カウント値Ｎｓを時間情報にセットして送信する制御を行い、光警報装置３２に、受信した制御電文に含まれる制御開始時間カウント値Ｎｓに基づき、発光周期Ｔｆによる発光を繰り返させる。
【００５７】
ここで、制御電文の時間情報にセットする制御開始時間を示す開始時間カウント値Ｎｓは、火災受信機１０で火災発報を検出した時間ではなく、例えば光警報制御装置の制御部３４が制御電文の送信を開始する現在時間情報を示す時間カウント値をセットする。
【００５８】
また、光警報制御装置の制御部３４は、制御電文を送信した後に、登録ＩＤと確認応答電文の送信元ＩＤとの比較により、制御電文の送信に対し全ての送信先から確認応答電文ＡＣＫを受信しないことを判別した場合に、制御電文の中継送信を指示する中継指示電文ＲＣを送信する制御を行い、これを受信した発光制御中の光警報装置３２に、中継制御電文を生成して中継送信させる。
【００５９】
また、光警報制御装置の制御部３４は、所定の時間校正周期に達する毎に、現在時間を示す時間カウント値Ｎｔを時間にセットした基準電文を所定の基準間間隔Ｔｒ例えばＴｒ＝１０秒を空けて２回送信し、光警報装置３２側に時間補正制御を行わせる。
【００６０】
この基準電文の送信についても、光警報制御装置の制御部３４は、所定の送信時間Ｔ１と送信休止時間Ｔ２からなる送信周期Ｔ０を複数回、例えば２回設定し、各送信時間Ｔ１の間に基準電文の送信を複数回繰り返す。
【００６１】
また、光警報制御装置の制御部３４は、登録ＩＤと確認応答電文ＡＣＫの送信元ＩＤとの比較により、基準電文の送信に対し全ての送信先から確認応答電文ＡＣＫを受信しないことを判別した場合に、基準電文の中継送信を指示する中継指示電文ＲＣを送信する制御を行い、これを受信した発光制御中の光警報装置３２に、現在時間を示す時間カウント値Ｎｔを時間にセットした基準電文を所定の基準時間間隔Ｔｒを空けて２回中継送信させる。
【００６２】
また、光警報制御装置の制御部３４は、所定の定期通報時間毎に、光警報制御装置の通信部３８に指示して定期通報電文を送信し、これに対する確認応答電文ＡＣＫを全ての光警報装置３２から受信すると正常と判断し、確認応答電文ＡＣＫが得られない光警報装置３２がある場合は、障害警報を出力する制御を行う。なお、定期通報電文に対し確認応答電文ＡＣＫが得られない光警報装置３２がある場合、光警報制御装置の制御部３４は中継送信を指示する定期通報の中継指示電文を送信する制御を行い、中継送信を含めた定期通報電文の送信により、全ての光警報装置３２からの確認応答電文ＡＣＫの受信を可能としている。
【００６３】
［光警報装置］
（光警報装置の構成）
図４は図１に設けた光警報装置の機能構成を示したブロック図である。図４に示すように、光警報装置３２は、制御部４６、アンテナ５０を接続した通信部４８、及び発光部５２を備え、図示しない電池電源により動作する。
【００６４】
光警報装置３２の制御部４６は、ハードウェアとしてＣＰＵ５４及びクロック発生部５６を備え、これ以外に図示しないメモリや各種の入出力ポート等を備えており、ＣＰＵ５４によるプログラムの実行により実現される機能である。
【００６５】
光警報装置３２の通信部４８は光警報制御装置３０との間で電文の送受信を行うと共に、光警報制御装置３０からの電波が届かない場所に設置している他の光警報装置に対する電文の中継送信を行う。光警報装置３２の通信部４８は、日本国内の場合には例えば４００ＭＨｚ帯の特定小電力無線局の標準規格に従った無線通信を行う。
【００６６】
また、光警報装置３２の通信部４８は通常監視状態で間欠受信を行っている。光警報装置３２の通信部４８による間欠受信の周期は、図２の光警報制御装置３０の通信部３８による送信時間Ｔ１により短い時間となる所定周期に設定し、この間欠受信周期毎にキャリアセンス行い、キャリアセンスができれば継続受信に切り替えて光警報制御装置３０からの電文受信を可能とする。
【００６７】
発光部５２には高輝度ＬＥＤやフラッシュライト等とその駆動回路を設けており、制御部４６から発光指示を受けた場合、予め設定した発光周期Ｔｆ、例えばＴｆ＝２秒の周期で例えばＴｗ＝２００ミリ秒の発光期間となる点滅を繰り返す。
【００６８】
（発光制御）
光警報装置３２の制御部４６は、光警報装置３２のクロック発生部５６から出力される所定周波数のクロックの計数を例えば２４時間単位に繰り返して現在時間を示す時間カウント値Ｎｔを生成している。
【００６９】
また、光警報装置３２の制御部４６は、光警報装置３２の通信部４８を介して光警報制御装置３０からの制御電文の受信を検出した場合、制御電文の時間情報にセットしている制御開始時間を示す制御開始時間カウント値Ｎｓを取得し、発光周期Ｔｆに対応した発光周期カウント値Ｎｆに基づき、発光予定時間を示す発光予定時間カウント値Ｎｐｉを次のようにして求める。
Ｎｐｉ＝Ｎｓ＋ｉ・Ｎｆ      （１）
但し、ｉ＝１，２，３，・・・・となる発光回数を示す整数
また、光警報装置３２の制御部４６は、自己で生成している現在時間を示す時間カウント値Ｎｔｉが、発光予定時間カウント値Ｎｐｉに一致した場合、発光部５２を発光させる制御を行い、これにより発光部４８に発光周期Ｔｆ毎に発光駆動を繰り返して光の点滅により光警報を報知する動作を行わせる。
【００７０】
また、光警報装置３２の制御部４６は制御電文を受信して発光制御を開始すると、通信部４８に指示して確認応答電文ＡＣＫを送信する制御を行う。ここで、確認応答電文ＡＣＫの送信タイミングは、光警報装置３２のＩＤなどに対応して異なる遅延時間を決めており、複数の光警報装置３２からの確認応答電文ＡＣＫの衝突を回避可能としている。
【００７１】
また、光警報装置３２の制御部４６は、制御電文の受信に基づく発光制御中に、光警報装置３２の通信部４８を介して光警報制御装置３０からの中継指示電文ＲＣの受信を検出した場合、光警報装置３２の通信部４８に指示し、送信時間Ｔ１と送信休止時間Ｔ２からなる送信周期Ｔ０を例えば３回設定し、各送信時間Ｔ１の間に中継制御電文Ｒの送信を例えば４回繰り返す。
【００７２】
この中継制御電文Ｒの時間情報には、制御電文の場合と同様、制御開始時間を示す制御開始時間カウント値Ｎｓをセットしている。このため中継制御電文を受信した中継先の光警報装置３２は、間欠受信により最初に有効受信した中継制御電文Ｒに含まれる制御開始時間カウント値Ｎｓに基づき発光予定時間カウント値Ｎｐｉを求め、自己で生成している現在時間を示す時間カウント値Ｎｔｉが、発光予定時間カウント値Ｎｐｉに一致した場合に発光させ、発光周期Ｔｆによる発光を繰り返すことになる。
【００７３】
（時間補正制御）
図５は光警報装置での基準電文の受信による時間補正制御を示したタイムチャートであり、図５（Ａ）に基準電文の受信を示し、図５（Ｂ）に内部タイマのクロック計数動作を示す。
【００７４】
図５（Ａ）に示すように、図４に示した光警報装置３２は、光警報制御装置３０から所定の時間校正周期毎に、基準時間間隔Ｔｒを空けて時間ｔ１と時間ｔ２の２回に分けて基準電文を受信する。
【００７５】
光警報装置３２の制御部４６は、時間ｔ１の最初の基準電文の受信で内部タイマを起動してクロック発生部５６からのクロックの計数を開始し、時間ｔ２で次の基準電文を受信するとクロックの計数を停止し、カウント値Ｎを求め、基準時間間隔Ｔｒを示す基準時間間隔カウント値Ｎｒとの誤差ΔＮを次式で求める。
ΔＮ＝Ｎｒ−Ｎ                        （２）
ここで図５（Ｂ）に示すように、内部タイマのカウントに誤差がない場合は直線６０に示す変化となり、これに対しクロック周期が長い方にずれている場合は直線６２に示すようにプラスの誤差ΔＮとなり、補正値−ΔＮを求める。一方、クロック周期が短い方にずれている場合は直線６４に示すようにマイナスの誤差ΔＮとなり、補正値＋ΔＮを求める。なお、直線６０，６２，６４は実際にはステップ的に変化するが、これを省略して直線変化で示している。
【００７６】
そこで、制御部４６は、補正値−ΔＮ又は＋ΔＮに基づき、自己が生成している現在時間を示す時間カウント値Ｎｔを次式で補正して、正しい時間カウント値Ｎｔ’を生成する。補正した時間カウント値Ｎｔ’を自己が生成している現在時間を示す時間カウント値Ｎｔに更新する
Ｎｔ’＝Ｎｔ（１＋ΔＮ／Ｎｒ）      （３）
また、制御部４６は、例えば最初に受信した基準電文に光警報制御装置３０側でセットした時間カウント値Ｎｔを、自己で生成している時間カウント値に設定して更新し、光警報装置３２の現在時間を光警報制御装置３０の現在時間に一致させる時間同期を行っており、その結果、時間同期ができた現在時間を前記（３）式で補正して正しい現在時間を生成している。
【００７７】
このような時間補正制御により、通常監視状態でマスタとして機能する光警報制御装置３０の現在時間が全ての光警報装置３０に設定されて時間同期をとることができ、また、複数の光警報装置３２はクロックの計数により内部的に現在時間を生成することで、時間同期からの時間が経過すると誤差を生ずるようになるが、２回の基準電文の受信から内部誤差を補正する補正値を求め、自己で生成している現在時間を補正しているため、内部誤差を解消して略完全な時間同期を維持可能とする。
【００７８】
更に、複数の光警報装置３２が略完全に時間同期をとっているため、火災発報による制御電文の受信に基づき発光制御する場合、発光周期にずれが起きず、電文通信によるリセット等を必要とすることなく、正確な発光同期を可能とする。
【００７９】
［警報システムの光警報制御］
図６は制御電文の送信による発光制御を示したタイムチャートであり、図６（Ａ）は火災発報を示し、図６（Ｂ）は光警報制御装置による電文送信を示し、図６（Ｃ）は光警報装置の発光制御を示し、図６（Ｄ）は光警報装置の中継制御を一部示す。
【００８０】
また、図７は図６に続いて中継指示電文を送信して中継制御を行った場合の発光制御を示したタイムチャートであり、図７（Ａ）は火災発報を示し、図７（Ｂ）は光警報制御装置による電文送信を示し、図７（Ｃ）は光警報装置の発光制御を示し、図７（Ｄ）は光警報装置の中継制御を示し、図７（Ｅ）は中継先での発光制御を示す。
【００８１】
（制御電文の送信による光警報制御）
図６（Ａ）の時間ｔ０で火災受信機１０により火災発報を検出して火災警報を出力したとすると、その移報部２８から光警報を制御する制御信号が光警報制御装置３０に与えられ、図６（Ｂ）の時間ｔ１から制御電文の送信動作を開始する。
【００８２】
光警報制御装置３０の送信動作は、送信時間Ｔ１と送信休止時間Ｔ２を合わせた送信周期Ｔ０を３回設定しており、各回の送信時間Ｔ１の間に制御電文Ｄ１〜Ｄ４，Ｄ５〜Ｄ８，Ｄ９〜Ｄ１２を繰り返し送信している。
【００８３】
例えば先頭の制御電文Ｄ１を例にとると、制御開始時間として、例えば火災発報による光警報制御信号を受信した時間ｔ０を示す時間カウント値を制御開始時間カウント値Ｎｓとして時間情報にセットしている。残りの制御電文Ｄ２〜Ｄ１２にも同様にして      制御開始時間カウント値Ｎｓをセットしている。
【００８４】
光警報制御装置３０から送信した制御電文Ｄ１〜Ｄ１２は、図１に示した光警報装置３２で受信しており、光警報装置３２は受信した制御電文から得られた制御開始時間カウント値Ｎｓと発光周期Ｔｆを示す発光周期カウント値Ｎｆに基づき、発光予定時間を示す発光予定時間カウント値Ｎｐｉを次のように設定する。
Ｎｐ１＝Ｎｓ＋Ｎｆ
Ｎｐ２＝Ｎｓ＋２Ｎｆ
Ｎｐ３＝Ｎｓ＋３Ｎｆ
Ｎｐ４＝Ｎｓ＋４Ｎｆ
Ｎｐ５＝Ｎｓ＋５Ｎｆ
・・・・・・・・・
光警報装置３２は間欠受信を行っていることから、制御電文Ｄ１〜Ｄ１２の何れかを最初に受信することになるが、制御電文Ｄ１〜Ｄ１２どれを受信しても、発光予定時間カウント値Ｎｐｉは同じ値を設定することになる。このため例えば制御電文Ｄ１を受信して発光予定時間カウント値Ｎｐｉを設定した１又は複数の光警報装置３２は、最初の発光予定時間カウント値Ｎｐ１に時間カウント値Ｎｔが一致する時間ｔ２で最初の発光を行い、その後、時間ｔ２，ｔ３，ｔ５・・・・というように、発光周期Ｔｆ毎に発光し、複数の光警報装置３２による発光が同期する。
【００８５】
（電文中継による光警報制御）
図６で光警報制御装置３０が制御電文Ｄ１〜Ｄ１２の送信を終了すると、例えば時間ｔ４〜ｔ５の間に光警報装置３２からの確認応答電文ＡＣＫを受信する。光警報制御装置３０は、確認応答電文ＡＣＫの受信により得られた光警報装置３２のＩＤと予め登録している送信先のＩＤとを照合し、全ての光警報装置３２から確認応答電文ＡＣＫが得られていないことを判別すると，時間ｔ５で中継指示電文ＲＣを送信する。これ以降の動作は、図７を参照して説明する。
【００８６】
図７（Ｂ）に示すように、時間ｔ５で光警報制御装置３０で送信を開始した中継指示電文ＲＣは、現在、発光制御中で且つ継続受信となっている図１の光警報装置３２で受信され、時間ｔ６の中継指示電文ＲＣの受信終了から中継制御に必要な所望の動作時間Ｔｄを経て時間ｔ７から中継制御電文Ｒｉの送信を開始する。
【００８７】
この中継制御電文の送信も、図７（Ｄ）に示すように、送信時間Ｔ１と送信休止時間Ｔ２を合わせた送信周期Ｔ０を３回設定し、各回の送信時間Ｔ１の間に中継制御電文Ｒ１〜Ｒ４、Ｒ５〜Ｒ８、Ｒ９〜Ｒ１２を繰り返し送信している。また、中継制御電文Ｒ１〜Ｒ１２の各々には、図６に示した時間ｔ０を示す時間カウント値を制御開始時間カウント値Ｎｓとしてセットしている。
【００８８】
中継制御電文Ｒ１〜Ｒ１２は、中継先の光警報装置３２で受信され、受信した中継制御電文から得られた制御開始時間カウント値Ｎｓと発光周期カウント値Ｎｆに基づき、発光予定時間カウント値Ｎｐｉを設定し、時間カウント値Ｎｔが発光予定時間カウント値Ｎｐｉに一致する毎に発光する発光制御を行う。これにより中継先を含む全ての光警報装置３２で光警報の同期発光が行われる。
【００８９】
［警報システムの時間補正制御］
図８は基準電文の送信による時間補正制御を示したタイムチャートであり、図８（Ａ）は校正タイミングを示し、図８（Ｂ）は光警報制御装置による基準電文の送信を示す。
【００９０】
また、図９は図８に続いて中継指示電文を送信して中継制御を行った場合の時間補正制御を示したタイムチャートであり、図９（Ａ）は校正タイミングを示し、図９（Ｂ）は光警報制御装置による電文送信を示し、図９（Ｃ）は光警報装置の中継制御を示す。
【００９１】
（基準電文の送信）
図８（Ａ）の時間ｔ１で光警報制御装置３０が所定の時間校正周期に基づく校正タイミングを検出すると、図８（Ｂ）に示すように、所定の基準時間間隔Ｔｒを空けて基準電文を２回送信する動作を行う。
【００９２】
光警報制御装置３０の送信動作は、時間ｔ１から送信時間Ｔ１と送信休止時間Ｔ２を合わせた送信周期Ｔ０を２回設定して最初の基準電文Ｋ１〜Ｋ８を送信しており、時間ｔ１から基準時間間隔Ｔｒを経過した時間ｔ７から送信時間Ｔ１と送信休止時間Ｔ２を合わせた送信周期Ｔ０を２回設定して次の基準電文Ｋ９〜Ｋ１６を送信しており、２回に分けて送信する基準電文の組み合わせ、即ち電文ペアは、（Ｋ１，Ｋ９）、（Ｋ２，Ｋ１０）、（Ｋ３，Ｋ１１）、（Ｋ４，Ｋ１２）、（Ｋ５，Ｋ１３）、（Ｋ６，Ｋ１４）、（Ｋ７，Ｋ１５）、（Ｋ８，Ｋ１６）となる。
【００９３】
基準電文Ｋ１〜Ｋ１６の時間情報には、電文送信終了時点を示す時間カウント値Ｎｔと電文ペアを示す識別子をセットしている。
【００９４】
光警報装置３２は、最初に例えば基準電文Ｋ１を受信すると、図５（Ｂ）に示したと同様に、基準電文Ｋ１の受信終了時間ｔ２から内部タイマによるクロックの計数を開始し、基準電文Ｋ１のペアとなる基準電文Ｋ９を受信した場合の受信終了時間ｔ８で内部タイマによるクロックの計数を停止し、これにより得られたカウント値Ｎと基準時間間隔カウント値Ｎｒとの差に基づき補正カウント値ΔＮを取得してメモリに記憶し、前記（３）式に従って、光警報装置３２で生成している現在時間を示す時間カウント値Ｎｔの補正を行う。
【００９５】
基準電文の残りのペア（Ｋ２，Ｋ１０）〜（Ｋ８，Ｋ１６）の何れかを受信した場合についても、同様にして時間補正制御を行う。
【００９６】
（電文中継による時間補正制御）
図８で光警報制御装置３０が基準電文Ｋ１〜Ｋ１６の送信が終了すると、例えば時間ｔ１３から光警報装置３２からの確認応答電文ＡＣＫの受信が行われる。光警報制御装置３０は、確認応答電文ＡＣＫの受信により得られた光警報装置３２のＩＤと予め登録している送信先のＩＤとを照合し、全ての光警報装置３２から確認応答電文ＡＣＫが得られていないことを判別すると，時間ｔ１４で中継指示電文ＲＣを送信する。これ以降の動作は、図９を参照して説明する。
【００９７】
図９（Ｂ）に示すように、時間ｔ１４で送信を開始した中継指示電文ＲＣは、光警報装置３２で受信され、中継指示電文ＲＣの受信終了から中継制御に必要な所望の動作時間かＴｄを経て時間ｔ１５から中継基準電文ＲＳｉ（ｉ＝１，２，３，・・・）の送信を開始する。
【００９８】
この中継基準電文の送信も、図９（Ｃ）に示すように、時間ｔ１５から送信時間Ｔ１と送信休止時間Ｔ２を合わせた送信周期Ｔ０を２回設定して最初の中継基準電文ＲＫ１〜ＲＫ８を送信しており、時間ｔ１５から基準時間間隔Ｔｒを経過した時間ｔ２１から送信時間Ｔ１と送信休止時間Ｔ２を合わせた送信周期Ｔ０を２回設定して次の基準電文ＲＫ９〜ＲＫ１６を送信しており、２回送信する基準電文の組み合わせ、即ち電文ペアは、（ＲＫ１，ＲＫ９）、（ＲＫ２，ＲＫ１０）、（ＲＫ３，ＲＫ１１）、（ＲＫ４，ＲＫ１２）、（ＲＫ５，ＲＫ１３）、（ＲＫ６，ＲＫ１４）、（ＲＫ７，ＲＫ１５）、（ＲＫ８，ＲＫ１６）となる。
【００９９】
中継基準電文ＲＫ１〜ＲＫ１６の時間情報には、電文送信終了時点を示す時間カウント値Ｎｔと電文ペアを示す識別子をセットしている。
【０１００】
中継先の光警報装置３２は、例えば最初の中継基準電文ＲＫ１を受信したとすると、図５（Ｂ）に示したと同様に、中継制御電文ＲＫ１の受信終了時間ｔ１６から内部タイマによるクロックの計数を開始し、中継基準電文ＲＫ１のペアとなる中継基準電文ＲＫ９を受信した場合の受信終了時間ｔ２２で内部タイマによるクロックの計数を停止し、これにより得られたカウント値Ｎと基準時間間隔カウント値Ｎｒとの差に基づき補正カウント値ΔＮを取得してメモリに記憶し、前記（３）式に従って、中継先の光警報装置３２で生成している現在時間を示す時間カウント値Ｎｔの補正を行う。
【０１０１】
中継基準電文の残りのペア（ＲＫ１，ＲＫ９）〜（ＲＫ８，ＲＫ１６）の何れかを受信した場合についても、同様にして時間補正制御を行う。
【０１０２】
［警報システムの制御動作］
（光警報制御装置の制御動作）
図１０は光警報制御装置の制御動作を示したフローチャートである。図１０に示すように、図２の光警報制御装置３０に設けた制御部３４は、ステップＳ１で時間校正タイミングへの到達を検出すると、ステップＳ２に進み、現在時間Ｎｔを含む基準電文を、基準時間間隔Ｔｒを空けて２回送信する。実際には複数の基準電文のペアを、基準時間間隔Ｔｒを空けた２回に分けて連続送信する。
【０１０３】
続いてステップＳ３で火災受信機１０での火災発報の検出に基づき光警報を制御する制御信号の受信を検出すると、ステップＳ４に進んで制御開始時間Ｎｓを記憶し、ステップＳ５で制御開始時間Ｎｓと発光指示を含む制御電文を生成し、例えば３回の送信時間に分けて制御電文を繰り返し送信する。
【０１０４】
続いてステップＳ６に進んで光警報装置３２からの確認応答電文ＡＣＫを受信し、全ての確認応答電文ＡＣＫを受信しなかった場合はステップＳ７に進み、中継指示電文ＲＣを送信する。
【０１０５】
その後、火災復旧等に基づき、ステップＳ８で光警報を停止する制御信号の受信を検出するとステップＳ９に進んで停止指示を含む制御電文を送信して光警報装置３２の光警報を停止させる。
【０１０６】
（光警報装置の制御動作）
図１１は光警報装置の時間補正制御を示したフローチャートである。図１１に示すように、図４の光警報装置３２に設けた制御部４６は。ステップＳ１１で最初の基準電文の受信を検出するとステップＳ１２に進んで、受信した時間カウント値Ｎｔを自己で生成している時間カウント値に設定して更新すると共に、クロックカウントを開始する。
【０１０７】
続いてステップＳ１３で次の基準電文の受信を検出するとステップＳ１４に進んでクロックカウントを停止してカウント値Ｎを取得し、ステップＳ１５に進んで基準時間間隔カウント値Ｎｒとの差ΔＮを補正値として求めてメモリに記憶する。
【０１０８】
続いてステップＳ１６で、自己で生成している時間カウント値Ｎｔを補正値ΔＮにより補正して、補正した時間カウント値Ｎｔ´を生成する。このようなステップＳ１１〜Ｓ１６の処理を、基準電文を受信する毎に繰り返し、光警報制御装置３０との時間同期をとる。
【０１０９】
図１２は光警報装置の制御動作を示したフローチャートである。図１２に示すように、図４の光警報装置３２に設けた制御部４６は、間欠受信周期への到達を検出するとキャリアセンスの有無を判別し、キャリアセンスを判別すると継続受信動作に切り替え、ステップＳ２１で制御電文の受信を検出すると、ステップＳ２２に進んで制御開始時間Ｎｓを取得する。
【０１１０】
続いてステップＳ２３で、制御開始時間Ｎｓと発光周期Ｎｆに基づき、発光予定時間Ｎｐｉを生成し、ステップＳ２４で現在時間Ｎｔが発光予定時間Ｎｐｉに達したことを検出すると、ステップＳ２５に進んで発光部を発光駆動する。
【０１１１】
続いてステップＳ２６で確認応答電文ＡＣＫの送信を行い、ステップＳ２７で中継指示電文の受信を検出するとステップＳ２８に進み、制御開始時間情報Ｎｓをセットした中継制御電文を生成して中継送信する。
【０１１２】
ステップＳ２９で火災復旧等に基づく停止制御電文の受信を検出するまでは、ステップＳ２１〜Ｓ２４の処理を繰り返し、他の光警報装置３２と同期した光の点滅、即ち同期発光による光警報の報知を行う。ステップＳ２９で停止制御電文の受信を検出するとステップＳ３０に進んで発光制御を停止し、ステップＳ２１に戻る。
【０１１３】
（時間補正制御の他の実施形態）
図１３は光警報装置での基準電文の受信による時間補正制御の他の実施形態を示したタイムチャートであり、図１３（Ａ）に光警報制御装置３０の時間カウント値を示し、図１３（Ｂ）に基準電文の送信を示し、図１３（Ｃ）に光警報装置３２の時間カウント値を示す。ここで、光警報制御装置３０の時間カウント値を基準時間カウント値Ｎｒとし、また、光警報装置３２の時間カウント値をＮｔとし、時間カウント値を区別する場合は、Ｎｒｉ又はＮｔｉとする（但し、ｉは順番を示す整数）。
【０１１４】
図１３（Ａ）（Ｂ）に示すように、図１に示した光警報制御装置３０は、所定の時間校正周期毎に、所定の基準時間間隔を空けて現在時間を示す基準時間カウント値Ｎｒ１と基準時間カウント値Ｎｒ２を各々含む基準電文を２回に分けて送信する。
【０１１５】
図４に示した光警報装置３２の制御部４６は、最初の基準電文を受信した場合に、この基準電文に含まれた基準時間カウント値Ｎｒ１をメモリに記憶すると共に、図１３（Ｃ）に示す基準電文受信時の自己の時間カウント値Ｎｔ１をメモリに記憶する。また、次の基準電文を受信した場合にも、この基準電文に含まれた基準時間カウント値（Ｎｒ２）をメモリに記憶すると共に、図１３（Ｃ）に示す基準電文受信時の自己の受信時間カウント値Ｎｔ２をメモリに記憶する。
【０１１６】
続いて光警報装置３２の制御部４６は、最初の基準電文を受信してから次の基準電文を受信した場合の基準時間カウント値の時間間隔（Ｎｒ２−Ｎｒ１）と自己の時間カウント値の時間間隔（Ｎｔ１−Ｎｔ２）を求め、自己の時間カウント値の時間間隔（Ｎｔ１−Ｎｔ２）を基準時間カウント値の時間間隔（Ｎｒ２−Ｎｒ１）に一致させる補正係数（α）との間には、
（Ｎｒ２−Ｎｒ１）＝α（Ｎｔ１−Ｎｔ２）
の関係があることから、補正係数αを
α＝（Ｎｒ２−Ｎｒ１）／（Ｎｔ１−Ｎｔ２）      （４）
として求める。
【０１１７】
このため、その後に得られる自己の時間カウント値Ｎｔを
Ｎｔ’＝Ｎｒ１＋α（Ｎｔ−Ｎｔ１）              （５）
又は、
Ｎｔ’＝Ｎｒ２＋α（Ｎｔ−Ｎｔ２）              （６）
として光警報制御装置３０の時間カウント値に一致した値に補正する。
【０１１８】
このような時間補正制御により、通常監視状態でマスタとして機能する光警報制御装置３０の現在時間が全ての光警報装置３０に設定されて時間同期をとることができ、また、複数の光警報装置３２はクロックの計数により内部的に現在時間を生成することで、時間同期からの時間が経過すると誤差を生ずるようになるが、２回の基準電文の受信から内部誤差を補正する補正係数を求め、自己で生成している現在時間を補正しているため、内部誤差を解消して略完全な時間同期を維持可能とする。
【０１１９】
また、複数の光警報装置３２が略完全に時間同期をとっているため、火災発報による制御電文の受信に基づき発光制御する場合、発光周期にずれが起きず、電文通信によるリセット等を必要とすることなく、正確な発光同期を可能とする。
【０１２０】
更に、図４の時間補正制御のように、光警報装置３２は、基準電文の受信に基づくクロックカウントを必要としないため、その分、時間補正制御を簡単にすることを可能とする。
【０１２１】
（光警報装置の制御動作）
図１４は図１３による時間補正制御を示したフローチャートである。図１４に示すように、図４の光警報装置３２に設けた制御部４６は。ステップＳ３１で最初の基準電文の受信を検出するとステップＳ３２に進んで、基準電文に含まれている基準時間カウント値Ｎｒ１と自己の時間カウント値Ｎｔ１をメモリに記憶する。
【０１２２】
続いてステップＳ３３で次の基準電文の受信を検出するとステップＳ３４に進み、基準電文に含まれている基準時間カウント値Ｎｒ２と自己の時間カウント値Ｎｔ２を記憶する。
【０１２３】
続いてステップＳ３５に進んで前記（３）式から補正係数αを求め、続いてステップＳ３６に進み、前記（４）式または前記（５）式により自己の時間カウント値Ｎｔを補正して、補正した時間カウント値Ｎｔ’を生成する。このようなステップＳ３１〜Ｓ３６の処理を、基準電文を受信する毎に繰り返し、光警報制御装置３０との時間同期をとる。
【０１２４】
なお、図１４の時間補正制御で補正した時間カウント値Ｎｔ’による発光制御は図１２のフローチャートに示したと同じになる。
【０１２５】
［本発明の変形例］
上記の実施形態は、感知器回線単位に火災を監視するＰ型の火災受信機を例にとっているが、伝送回線にアドレスを設定した火災感知器を接続し、アドレス単位に火災を監視するＲ型の火災受信機であっても良い。
【０１２６】
また、本発明はその目的と利点を損なうことのない適宜の変形を含み、更に上記の実施形態に示した数値による限定は受けない。
【符号の説明】
【０１２７】
１０：火災受信機
１２：感知器回線
１４：火災感知器
１６：終端装置
２０：受信制御部
２２：回線受信部
２４：表示部
２５：操作部
２６：警報部
２８：移報部
３０：光警報制御装置
３２：光警報装置
３４，４６：制御部
３６：移報入力部
３８，４８：通信部
４２，５４：ＣＰＵ
４４，５６：クロック発生部
５２：発光部
【図１】
0006475546.tif 000002
【図２】
0006475546.tif 000003
【図３】
0006475546.tif 000004
【図４】
0006475546.tif 000005
【図５】
0006475546.tif 000006
【図６】
0006475546.tif 000007
【図７】
0006475546.tif 000008
【図８】
0006475546.tif 000009
【図９】
0006475546.tif 000010
【図１０】
0006475546.tif 000011
【図１１】
0006475546.tif 000012
【図１２】
0006475546.tif 000013
【図１３】
0006475546.tif 000014
【図１４】
0006475546.tif 000015